(57)【要約】【課題】回転多面鏡を高速回転させることなく所定領域のデータ収集速度を高める事が可能となる回転多面鏡装置及び光検出測距装置を提供すること。【解決手段】回転軸に接続されるセンター部及び複数の反射面を多角形状の外周に配置した反射部を含み、光源からの入射光束を当該反射部に配置された反射面で反射させて、対象物上に走査する回転多面鏡と、前記回転多面鏡で反射した前記光源からの入射光束を当該回転多面鏡に再帰させる再帰反射部と、を有し、前記反射部は、一対の前記反射面を前記回転軸の軸方向に向かい合って配置したコーナーリフレクタ構造とされ、前記再帰反射部は、前記光源から前記回転多面鏡に入射する入射光束に対して回転軸の軸方向にオフセットして配置されてなることを特徴とする。【選択図】図１
2020064124.tif 000002
【特許請求の範囲】
【請求項１】
回転軸に接続されるセンター部及び複数の反射面を多角形状の外周に配置した反射部を含み、光源からの入射光束を当該反射部に配置された反射面で反射させて、対象物上に走査する回転多面鏡と、
前記回転多面鏡で反射した前記光源からの入射光束を当該回転多面鏡に再帰させる再帰反射部と、を有し、
前記反射部は、一対の前記反射面を前記回転軸の軸方向に向かい合って配置したコーナーリフレクタ構造とされ、
前記再帰反射部は、前記光源から前記回転多面鏡に入射する入射光束に対して回転軸の軸方向にオフセットして配置されてなることを特徴とする回転多面鏡装置。
【請求項２】
前記回転多面鏡は、前記センター部と前記反射部とを接続するディスク部を備え、
前記反射部が中実の透明樹脂からなり、
前記ディスク部は、回転多面鏡の厚み方向に薄肉リブ状に構成され、前記反射部の背面側に空洞部を形成し、
前記反射部に配置される前記一対の反射面は、それぞれの入射光に対して全反射面を構成する傾斜角度をもって配置されてなる請求項１に記載の回転多面鏡装置。
【請求項３】
複数の前記回転多面鏡を回転軸の軸方向に重ねて配置し、
前記再帰反射部が一の前記回転多面鏡から出射した光束を他の前記回転多面鏡の反射部に再度入射させる位置に配置されてなる請求項1又は２に記載の回転多面鏡装置。
【請求項４】
前記反射部に配置される前記一対の反射面は、多角形状の外周方向に夫々異なる傾斜角度で配置されてなる請求項１から３のいずれかに記載の回転多面鏡装置。
【請求項５】
請求項１から請求項４のいずれかに記載の回転多面鏡装置と、
レーザー光源と、
対象物からの反射光を前記回転多面鏡の前記反射面を介して受光する受光系と、を有する光検出測距装置。
【発明の詳細な説明】
【技術分野】
【０００１】
本発明は光源からの光束を対象物に照射する回転多面鏡装置及び対象物に照射した光を検出し、対象物までの距離を測定する光検出測距装置に関する。
【背景技術】
【０００２】
物体に向けてレーザ光を照射し、物体で反射されて帰ってくるまでの時間から物体の検知及び測距を可能とする装置としてＬＩＤＡＲ（Ｌａｓｅｒ  Ｉｍａｇｉｎｇ  Ｄｅｔｅｃｔｉｏｎ  ａｎｄ  Ｒａｎｇｉｎｇ）システムが従来から知られている。
【０００３】
このようなＬＩＤＡＲシステムの一般的な構成としては、例えば１５５０ｎｍ程度の近赤外線を出射するレーザ光源と、このレーザ光源から出射するレーザ光を物体に向けて二次元的に走査を行う回転多面鏡としてのポリゴンミラーとを備え、レーザ光源から出射するレーザ光が回転多面鏡で反射されて、所定の走査範囲で左右（上下）に方向を変えて走査され、物体において照射・反射して戻ってきたレーザ光を検出器で受光する事で物体の方位及び位相角のずれから物体までの距離を得ている（例えば、特許文献１）。
【先行技術文献】
【特許文献】
【０００４】
【特許文献１】特開２０１４−１１５１８２号公報
【発明の概要】
【発明が解決しようとする課題】
【０００５】
上述したポリゴンミラーを備えたＬＩＤＡＲシステムは、物体検知の為のデータ収集速度はレーザ光線の走査周期すなわちポリゴンミラーの面数及びミラー回転速度に影響される。特に車載用ＬＩＤＡＲシステムなどで高速なデータ収集が求められる場合には、従来のポリゴンミラーでは回転鏡自体を高速回転させる必要があった。
【０００６】
しかしながら、回転多面鏡を高速回転させた場合には、回転多面鏡での風損や回転軸部の機械的損失、または発熱及びロータの振れなど数々の問題を有していた。
【０００７】
本発明はこのような従来の問題点を考慮してなされたものであり、回転多面鏡の小さな回転移動量に対してレーザ光の走査領域を大きくとる事を可能とする事で、回転多面鏡を高速回転させることなく所定領域のデータ収集速度を高める事が可能となる回転多面鏡装置及び光検出測距装置を提供することを目的とする。
【課題を解決するための手段】
【０００８】
上記課題を解決するための手段としては、以下の通りである。即ち、本発明の回転多面鏡装置は、回転軸に接続されるセンター部及び複数の反射面を多角形状の外周に配置した反射部を含み、光源からの入射光束を当該反射部に配置された反射面で反射させて、対象物上に走査する回転多面鏡と、前記回転多面鏡で反射した前記光源からの入射光束を当該回転多面鏡に再帰させる再帰反射部と、を有し、前記反射部は、一対の前記反射面を前記回転軸の軸方向に向かい合って配置したコーナーリフレクタ構造とされ、前記再帰反射部は、前記光源から前記回転多面鏡に入射する入射光束に対して回転軸の軸方向にオフセットして配置されてなる。
【０００９】
本発明によれば、回転多面鏡の回転角度に対して、該回転多面鏡で反射して物体上に向けて走査するレーザ光の反射角度を大きくすることを可能し、回転多面鏡の小さな回転移動量に対してレーザ光の走査領域を大きくとる事を可能とする事で、回転多面鏡を高速回転させることなく、所定走査範囲におけるデータ収集速度を高める事が可能となる。また、回転多面鏡の反射部がコーナーリフレクタ構造とされるので、回転多面鏡の回転軸に軸振れが生じた結果、反射面が傾いても主走査方向（回転軸に直行する平面方向）での回転多面鏡への入射光及び反射光が常に平行状態を維持することが可能となる。その結果、物体上に照射されるレーザ光の走査位置を維持する事ができ、高精度な物体の検出及び測距が可能となる。
【００１０】
また、上記発明において、前記回転多面鏡は、前記センター部と前記反射部とを接続するディスク部を備え、前記反射部が中実の透明樹脂からなり、前記ディスク部は、回転多面鏡の厚み方向に薄肉リブ状に構成され、前記反射部の背面側に空洞部を形成し、前記反射部に配置される前記一対の反射面は、それぞれの入射光に対して全反射面を構成する傾斜角度をもって配置されてなる。
【００１１】
本発明によれば、ポリゴンミラー本体の内部に形成した全反射面を回転多面鏡として用いることで、外部に露出する鏡面を有さないため塵や埃の付着等による影響を少なくし、しかも簡単な構造として製造を容易にすることが可能なポリゴンミラーを提供するが可能となる。
【００１２】
また、上記発明において、複数の前記回転多面鏡を回転軸の軸方向に重ねて配置し、前記再帰反射部が一の前記回転多面鏡から出射した光束を他の前記回転多面鏡の反射部に再度入射させる位置に配置されてなる。
【００１３】
本発明によれば、回転多面鏡の回転角度に対してレーザ光の走査角度を更に大きくすることが可能となり、回転多面鏡を高速回転させることなく、所定走査範囲におけるデータ収集速度を高める事が可能となる。
【００１４】
また、上記発明において、前記再帰反射部は、入射光束に対する再帰反射光束の方向が異なる方向に再帰させるように回転軸の軸方向に対して傾斜配置されてなる。
【００１５】
また、上記本発明において、前記反射部に配置される前記一対の反射面は、多角形状の外周方向に夫々異なる傾斜角度で配置されてなる。
【００１６】
本発明によれば、多角形状の外周方向に異なる位置に配置される反射部で、物体に向けて走査されるレーザ光は、物体上の走査範囲で上下方向に走査位置を変えて走査されるので、３次元的な物体の検出及び測距が可能となる。
【００１７】
また、本発明の光検出測距装置は、回転多面鏡装置と、レーザ光源と、対象物からの反射光を前記回転多面鏡の前記反射面を介して受光する受光系と、を有する。
【発明の効果】
【００１８】
本発明によれば、回転多面鏡の回転角度に対して、該回転多面鏡で反射して物体上に向けて走査するレーザ光の反射角度を大きくすることを可能し、回転多面鏡の小さな回転移動量に対してレーザ光の走査領域を大きくとる事を可能とする事で、回転多面鏡を高速回転させることなく所定領域のデータ収集速度を高める事が可能となる回転多面鏡装置及び光検出測距装置を提供することができる。
【図面の簡単な説明】
【００１９】
【図１】本発明の第１の実施の形態に係る回転多面鏡装置の側面図である。
【図２】本発明の第１の実施の形態の回転多面鏡装置の回転多面鏡を示す（ａ）平面図、（ｂ）Ａ―Ａ線断面図、（ｃ）Ｂ−Ｂ線断面図、（ｄ）Ｃ−Ｃ線断面図である。
【図３】回転多面鏡の変形例を示す（ａ）平面図、（ｂ）Ａ―Ａ線断面図、（ｃ）Ｂ−Ｂ線断面図、（ｄ）Ｃ−Ｃ線断面図である。
【図４】本発明の第２の実施の形態に係る回転多面鏡装置の側面図である。
【図５】図５（ａ）、図５（ｂ）及び図５（ｃ）は、従来の回転多面鏡装置（Ａ）、第１の実施の形態に係る回転多面鏡装置（Ｂ）及び第２の実施の形態に係る回転多面鏡装置（Ｃ）の回転多面鏡の回転角度に対する走査光の反射方向を示す説明図である。
【図６】本発明の第３の実施の形態に係る回転多面鏡装置の側面図である。
【発明を実施するための形態】
【００２０】
［回転多面鏡装置］
〔第１の実施の形態〕
以下、本発明の第１の実施の形態に係る回転多面鏡装置について図面を参照して説明する。図１は、第１の実施の形態に係る回転多面鏡装置の側面図、図２は、第１の実施の形態に係る回転多面鏡装置の回転多面鏡を示す（ａ）平面図、（ｂ）Ａ―Ａ線断面図、（ｃ）Ｂ−Ｂ線断面図、（ｄ）Ｃ−Ｃ線断面図である。
【００２１】
第１の実施の形態に係る回転多面鏡装置１を構成する回転多面鏡１０（１０Ａ、１０Ｂ）は、図１及び図２に示すように、回転多面鏡１０（１０Ａ、１０Ｂ）の中央部分に、図示しないモータ等の回転駆動手段の回転軸２に接続されるセンター部１１０（１１０Ａ、１１０Ｂ）が形成される。また、図２に示すように、この回転多面鏡１０（１０Ａ、１０Ｂ）は、平面視で正六角形形状を有し、外側面に６つの反射面を配置した反射部１２０（１２０Ａ、１２０Ｂ）が形成される。そして、センター部１１０と反射部１２０との間には、これらセンター部１１０及び反射部１２０を接続するリブ状のディスク部１３０（１３０Ａ、１３０Ｂ）が形成される。
【００２２】
回転多面鏡１０の反射部１２０は、中実の透明樹脂からなり、図２に示すように、ディスク部１３０が回転多面鏡１０の厚み方向に薄肉リブ状に構成される事で、センター部１１０、反射部１２０及びディスク部１３０で区画された空洞部１３１及び１３２が反射部１２０の背面側に形成される。
【００２３】
反射部１２０の空洞部１３１及び１３２との境界は、図２に示すように、回転軸２の軸方向に対して各々逆方向に略４５°の傾斜面とされることで、透明中実な反射部１２０の内部に一対の反射面１２１及び１２２の２面が直交するコーナーリフレクタ構造が形成される。
【００２４】
上述した回転多面鏡１０は、回転多面鏡１０の外周方向から反射部１２０に入射する入射光は、反射部１２０の透明樹脂内部を透過して背面側が空気層からなる反射面１２１で反射面１２２方向に直角に全反射し、反射面１２２で更に直角に全反射することにより入射方向と同方向に反射される。これら反射面部１２０Ａ及び１２０Ｂは前述の通り、中実の透明樹脂として背面側に空気層を形成する事で、全反射させるように構成する事が望ましいが、アルミ蒸着膜等を形成した反射膜とすることもできる。
【００２５】
また、第１の実施の形態に係る回転多面鏡装置１は、図１に示すように、回転多面鏡１０Ａ及び１０Ｂが回転軸２の軸方向に重ねて配置される。
【００２６】
図１に示すように、回転多面鏡１０Ａ及び１０Ｂの反射部１２０Ａ及び１２０Ｂに対面する位置には、第１の回転多面鏡１０Ａに形成された反射部１２０Ａのコーナーリフレクタを構成する反射面１２１及び１２２で反射して回転多面鏡１０Ａから出射した光を第の回転多面鏡１０Ｂに形成された反射部１２０Ｂのコーナーリフレクタを構成する反射面１２３及び１２４に再帰させる再帰反射部２０を備えている。
【００２７】
再帰反射部２０は、本実施の形態では、反射面２１及び２２の２面が直交するコーナーリフレクタ構造とされる。これら反射面２１及び２２は回転多面鏡１０の反射面部１２０と同様に光の入射面側が中実の透明樹脂として背面側に空気層を形成する事で、反射面２１及び２２にそれぞれ入射する光を全反射させるように構成する事が望ましいが、アルミ蒸着膜等を形成した反射膜とすることもできる。
【００２８】
また、再帰反射部２０は、図１に示すように、光源から回転多面鏡１０Ａへの入射光（光束）及び回転多面鏡１０Ｂからの出射光（光束）を妨げないように、再帰反射部２０を回転軸２の軸方向下方側にオフセットして配置される。
【００２９】
第１の実施の形態に係る回転多面鏡装置１は、第１の回転多面鏡１０Ａの反射面１２１に入射する入射光は、反射面１２２で再帰反射部の反射面２１に向けて出射し、反射部２１及び２２で再度第２の回転多面鏡１０Ｂの反射面１２３に向けて再帰反射され、反射面１２３に入射する入射光束を反射面１２４から図示しない物体上に向けて走査光を出射させる。従って、回転多面鏡１０Ａへの入射光束及び回転多面鏡１０Ｂからの物体への走査光束を遮る事なく再帰反射部２０を配置する事が可能となる。
【００３０】
〔回転多面鏡の変形例〕
以下、前述の回転多面鏡１０の変形例について図面を参照して説明する。図３は、回転多面鏡の変形例を示す（ａ）平面図、（ｂ）Ａ―Ａ線断面図、（ｃ）Ｂ−Ｂ線断面図、（ｄ）Ｃ−Ｃ線断面図である。
【００３１】
本変形例にかかる回転多面鏡１０は、図３に示すように、平面視で三角形状を有し、外側面には３つの反射面を配置した反射部１２０が形成される。また、回転多面鏡１０の中央部分には図示しないモータ等の回転駆動手段に連結される回転軸２に接続されるセンター部１１０が形成される。そして、センター部１１０と反射部１２０との間には、これらセンター部１１０及び反射部１２０を接続するリブ状のディスク部１３０が形成される。
【００３２】
回転多面鏡１０の反射部１２０は、中実の透明樹脂からなり、図２に示すように、ディスク部１３０が回転多面鏡１０の厚み方向に薄肉リブ状に構成される事で、センター部１１０、反射部１２０及びディスク部１３０で区画された空洞部１３１及び１３２が反射部１２０の背面側に形成される。その他の回転多面鏡としての構成は大の実施の形態における回転多面鏡と同様であるので説明を省略する。
【００３３】
〔第２の実施の形態〕
以下、本発明の第２の実施の形態に係る回転多面鏡装置について図面を参照して説明する。図４は、第２の実施の形態に係る回転多面鏡装置の側面図を示す。
【００３４】
第２の実施の形態に係る回転多面鏡装置１は、図４に示すように、回転多面鏡１０（１０Ａ、１０Ｂ、１０Ｃ）及び再帰反射部２０を有している。回転多面鏡１０（１０Ａ、１０Ｂ、１０Ｃ）及び再帰反射部２０の基本構成は、第１の実施の形態にかかる回転多面鏡１０及び再帰反射部２０と同様である。従って、第１の実施の形態にかかる回転多面鏡と同一の構成要素については、同一の符号を付してその説明を省略する。
【００３５】
第２の実施の形態に係る回転多面鏡装置１は、図４に示すように、第１の回転多面鏡１０Ａ、第の回転多面鏡１０Ｂ及び第３の回転多面鏡１０Ｃが回転軸２の軸方向に重ねて配置される。
【００３６】
また、再帰反射部２０は、反射面２１及び２２並びに反射面２３及び２４の各々対向する２面が直交するコーナーリフレクタ構造とされる。これら反射面２１及び２２並びに反射面２３及び２４は、回転多面鏡１０の反射部１２０と同様に光の入射面側が中実の透明樹脂として背面側に空気層を形成する事で、反射面２１及び２２並びに反射面２３及び２４にそれぞれ入射する光を全反射させるように構成する事が望ましいが、アルミ蒸着膜等を形成した反射膜とすることもできる。
【００３７】
また、再帰反射部２０は、図４に示すように、光源からの入射光束に対して回転軸２の軸方向下方側にオフセットして配置される。
【００３８】
第２の実施の形態に係る回転多面鏡装置１において、第１の回転多面鏡１０Ａの反射面１２１に入射する入射光は、反射面１２２で再帰反射部２０の反射面２１に向けて出射し、反射部２１及び２２で再度第２の回転多面鏡１０Ｂの反射面１２３に向けて反射される。そして、第２の回転多面鏡１０Ｂの反射面１２３に入射した入射光は、反射面１２４で再度、再帰反射部２０の反射面２３に向けて出射し、再帰反射部の反射部２３及び２４で第３の回転多面鏡１０Ｃの反射面１２５に向けて再度反射される。そして、反射面１２５に入射した入射光束が反射面１２６から図示しない物体上に向けて走査光として出射される。従って、回転多面鏡１０Ａへの入射光束及び回転多面鏡１０Ｃからの物体への走査光束を遮る事なく再帰反射部２０を配置する事が可能となる。
【００３９】
第１及び第２の各実施の形態にかかる回転多面鏡装置１を構成する回転多面鏡１０及び再帰反射部２０の材料については、反射部１２０Ａ、１２０Ｂ及び１２０Ｃのそれぞれの反射面で入射光を全反射させる場合には透明樹脂が好ましく、例えば、ポリメタクリル酸メチル（ＰＭＭＡ）やポリカーボネート（ＰＣ）、エポキシ樹脂（ＥＰ）などの光透過性樹脂を用いて射出成型により成型することができる。
【００４０】
図５は、従来の回転多面鏡装置Ａ、第１の実施の形態に係る回転多面鏡装置Ｂ及び第２の実施の形態に係る回転多面鏡装置Ｃの回転多面鏡の回転角度に対する走査光の反射方向を示す説明図である。
【００４１】
即ち、図５（ａ）は、各回転多面鏡装置ＡからＣを構成する回転多面鏡の反射面が光源からの入射光束に対して直交する回転角度にある初期状態を示す図である。また、図５（ｂ）は、回転多面鏡装置Ａが時計回りに初期状態から３０度回転した状態、回転多面鏡装置Ｂが時計回りに初期状態から１５度回転した状態、及び回転多面鏡装置Ｃが時計回りに初期状態から１０度それぞれ回転した状態における光源からの入射光束を物体方向に走査する状態を示す図である。また、図５（ｃ）は、回転多面鏡装置Ａが反時計回りに初期状態から３０度回転した状態、回転多面鏡装置Ｂが反時計回りに初期状態から１５度回転した状態、及び回転多面鏡装置Ｃが反時計回りに初期状態から１０度それぞれ回転した状態における光源からの入射光束を物体方向に走査する状態を示す図である。
【００４２】
図５で説明するように、第１の実施の形態に係る回転多面鏡装置Ｂは、光源から回転多面鏡に入射する入射光束を再帰反射部で１回反射させた後に回転多面鏡から物体方向に走査光束を出射させる。また、第２の実施の形態に係る回転多面鏡装置Ｃは、光源から回転多面鏡に入射する入射光束を再帰反射部で２回反射させた後に回転多面鏡から物体方向に走査光束を出射させる。従って、第１の実施の形態に係る回転多面鏡装置Ｂでは、従来の回転多面鏡装置Ａの回転角度に対して半分の回転角度において、物体方向に同一方向で走査光束を出射させることが可能となる。また、第２の実施の形態に係る回転多面鏡装置Ｃでは、従来の回転多面鏡装置Ａの回転角度に対して三分の一の回転角度において、物体方向に同一方向で走査光束を出射させることが可能となる。従って、回転多面鏡の回転角度に対して、該回転多面鏡で反射して物体上に向けて走査するレーザ光の反射角度を大きくすることを可能し、回転多面鏡の小さな回転移動量に対してレーザ光の走査領域を大きくとる事を可能とする事で、回転多面鏡を高速回転させることなく所定領域のデータ収集速度を高める事が可能となる。
【００４３】
〔第３の実施の形態〕
以下、本発明の第３の実施の形態に係る回転多面鏡装置について図面を参照して説明する。図６は、第３の実施の形態に係る回転多面鏡装置の側面図を示す。
【００４４】
第３の実施の形態に係る回転多面鏡装置１は、図６に示すように、他の実施の形態にかかる回転多面鏡装置と同様に回転多面鏡１０及び再帰反射部２０を有している。
【００４５】
第３の実施の形態に係る回転多面鏡装置１における回転多面鏡１０の基本構成は、第１及び第２の実施の形態にかかる回転多面鏡と同様である。従って、第１の実施の形態にかかる回転多面鏡と同一の構成要素については、同一の符号を付してその説明を省略する。
【００４６】
第３の実施の形態に係る回転多面鏡装置１は、図６に示すように光源からの入射光の入射方向が回転多面鏡１０の赤道面よりも下方側から反射部１２０内に形成される反射面１２１に入射するように光源位置が設定されている。そして、反射面１２０に入射した入射光束はコーナーリフレクタ構造を構成する反射面１２２で反射して入射光束と同一の角度で且つ逆方向に出射し、再帰反射部２０に入射する。
【００４７】
再帰反射部２０は、図６に示すように、反射した光束が回転多面鏡１０の回転軸２に直交する方向から反射面１２２に入射するように、回転軸２の軸方向に対して傾斜配置されている。
【００４８】
従って、再帰反射部２０から反射面１２２に再度入射した光束は、反射面１２１で反射して、回転多面鏡１０の回転軸２に直交する方向に出射して対象物上を走査する。
【００４９】
このように、再帰反射部２０が光源からの入射光束に対して回転軸の軸方向にオフセットして配置され、また、再帰反射部２０が、入射光束に対する再帰反射光束の方向が異なる方向に再帰させるように回転軸の軸方向に対して傾斜配置されているので、光源から回転多面鏡１０への入射光及び回転多面鏡１０からの物体への走査光が再帰反射部２０により遮られる事がなくなる。また、回転多面鏡１０の赤道面方向（回転多面鏡の回転軸と直交する方向）に走査光束を走査する事が可能となる。
【００５０】
また、本発明の回転多面鏡装置は、回転多面鏡の反射部１２０（１２０Ａ、１２０Ｂ、１２０Ｃ）を構成する各対向する反射面（１２１及び１２２、１２３及び１２４、並びに１２５及び１２６）がコーナーリフレクタ構造とされるので、回転多面鏡の回転軸に軸振れが生じた結果、反射面が傾いても主走査方向（回転軸に直行する平面方向）での回転多面鏡への入射光及び反射光が常に平行状態を維持することが可能となる。その結果、物体上に照射されるレーザ光の走査位置を維持する事ができ、高精度な物体の検出及び測距が可能となる。
【００５１】
また、本発明の回転多面鏡装置は、回転多面鏡の反射部１２０（１２０Ａ、１２０Ｂ、１２０Ｃ）が中実の透明樹脂からなり、ディスク部１３０（１３０Ａ、１３０Ｂ、１３０Ｃ）は、回転多面鏡の厚み方向に薄肉リブ状に構成され、反射面（１２１及び１２２、１２３及び１２４、並びに１２５及び１２６）は、背面側に空洞部が形成された全反射面を構成する傾斜角度をもって配置されるので、ポリゴンミラー本体の内部に形成した全反射面を回転多面鏡として用いることで、外部に露出する鏡面を有さないため塵や埃の付着等による影響を少なくし、しかも簡単な構造として製造を容易にすることが可能なポリゴンミラーを提供するが可能となる。
【００５２】
本発明の回転多面鏡装置を構成する回転多面鏡外周部に形成された6つの反射部（又は３つの反射部）の各反射部１２０（１２０Ａ、１２０Ｂ、１２０Ｃ）を構成する反射面（１２１及び１２２、１２３及び１２４、並びに１２５及び１２６）が、全て、同一の傾斜角度をもって構成され、６つの反射部から走査される走査光束がすべて、主走査方向（回転軸に直行する平面方向）に走査される例を説明したが、この実施例に限られることはなく、6つの反射部（又は３つの反射部）を構成する反射面は、適宜異なる傾斜角度をもって配置されてもよい。
【００５３】
このような構成とすることで、各反射面から物体上に走査される走査光束が、主走査方向（回転軸に直行する平面方向）に対して、適宜所定の角度をもって走査させる事が可能となるので物体に対する回転軸方向でのデータ収集を可能とすることができる。
【００５４】
［光検出測距装置］
本発明に係る光検出測距装置は、上述の実施の形態で説明したいずれかの回転多面鏡装置と、図示しないレーザ光源と、対象物からの反射光を前記回転多面鏡の前記反射面を介して受光する図示しない受光系とを有している。本発明にかかる光検出測距装置をＬＩＤＡＲ（Ｌａｓｅｒ  Ｉｍａｇｉｎｇ  Ｄｅｔｅｃｔｉｏｎ  ａｎｄ  Ｒａｎｇｉｎｇ）システムとして用いる場合には、レーザ光源としては１５５０ｎｍ程度の近赤外線を出射するレーザ光源が好適に用いられる。これにより電波の反射率が低い物体も検出可能とするものである。
【００５５】
また、上述の回転多面鏡装置を構成する回転多面鏡として、所望波長の近赤外線を透過する波長選択性を有する樹脂とすることで、光源の使用波長に関わらず走査光として所望波長の走査光を得る事ができる。
【符号の説明】
【００５６】
１      回転多面鏡装置
２      回転軸
１０    回転多面鏡
２０    再帰反射部
１１０  センター部
１２０  反射部
１３０  ディスク部
２１、２２、２３、２４  反射面
１２１、１２２、１２３、１２４、１２５、１２６  反射面
【図１】
2020064124.tif 000003
【図２】
2020064124.tif 000004
【図３】
2020064124.tif 000005
【図４】
2020064124.tif 000006
【図５】
2020064124.tif 000007
【図６】
2020064124.tif 000008